(57)【要約】  義歯清掃洗浄車１０は、内部において作業者が歯科用レーズ５６を用いて義歯を清掃することが可能な第１作業ボックス５０と、歯科用ハンドピース６８を用いて義歯を清掃することが可能な第２作業ボックス５２と、第１作業ボックス及び第２作業ボックスの内部からエアを吸引する集塵用電動ファン７６と、第１作業ボックス及び第２作業ボックスの内部と集塵用電動ファンとを連結する連結路７８と、集塵用電動ファンからのエアの排出部に配設される集塵袋８０とを備える。これにより、作業者が、車両で、義歯の使用者の待つ現場まで出張し、その車両内のボックスの内部で、義歯の清掃作業を行うことで、義歯の使用者の待つ現場において、義歯の清掃作業時に生じる粉塵の対策を行った状態で、義歯の清掃作業を行うことが可能となる
2019138460.tif 000002
【特許請求の範囲】
【請求項１】
内部において作業者が清掃具を用いて義歯を清掃することが可能なボックスと、
前記ボックス内部からエアを吸引する吸引機と、
前記ボックス内部と吸引機とを連結する連結路と、
前記連結路、若しくは、前記吸引機からのエアの排出部との少なくとも一方に配設されるフィルタと
を備える車両。
【請求項２】
前記ボックスに、作業者の手を挿通させることが可能な挿通穴が形成されており、
作業者が、前記挿通穴に手を挿通させて、前記ボックスの内部において、前記清掃具を用いて義歯を清掃することを特徴とする請求項１に記載の車両。
【請求項３】
前記車両は、
前記連結路の前記ボックス側の端部に搖動可能に配設された板状の開閉弁を備え、
前記開閉弁は、
前記吸引機によるエアの吸引によって、開いた状態に揺動し、前記ボックス内部での前記清掃具を用いた義歯の清掃に伴って飛散する飛散物が前記開閉弁に付着することで、前記開閉弁に付着した飛散部及び前記開閉弁の重みによって、閉じた状態に搖動することを特徴とする請求項１または請求項２に記載の車両。
【請求項４】
前記清掃具は、
ペースト状の研磨剤を用いて義歯を研磨するものであり、
前記飛散物は、前記ペースト状の研磨剤であることを特徴とする請求項３に記載の車両。
【請求項５】
前記開閉弁は、
閉じた状態において、前記連結路を密閉することなく、前記連結路の内壁との間に隙間があり、当該隙間を通って、前記ボックス内部からエアが前記吸引機により吸引される構造とされたことを特徴とする請求項３または請求項４に記載の車両。
【請求項６】
前記ボックスは、
底面以外の少なくとも一面に、内部を視認することが可能な素材により形成された透過部を有することを特徴とする請求項１ないし請求項５のいずれか１つに記載の車両。
【請求項７】
前記透過部が、前記少なくとも一面に着脱可能とされたことを特徴とする請求項６に記載の車両。
【発明の詳細な説明】
【技術分野】
【０００１】
本発明は、義歯を清掃することが可能な車両に関するものである。
【背景技術】
【０００２】
義歯は、所定の頻度で、歯科技工士等の専門家により清掃されることが好ましい。しかしながら、義歯の使用者などが、専門家のもとに出向くことは煩わしい。このため、下記特許文献に記載されているように、専門家が、義歯を清掃するための清掃具を車両に搭載し、義歯の使用者の待つ現場まで出張し、その現場の建屋、例えば、一般的な民家，介護施設等において、義歯の清掃作業を行うことが提案されている。
【先行技術文献】
【特許文献】
【０００３】
【特許文献１】特開２００１−１６１７２２号公報
【発明の概要】
【発明が解決しようとする課題】
【０００４】
しかしながら、義歯の清掃作業時には、細かい粉塵などが巻き上がるため、一般的な民家，介護施設などの現場の建屋では、粉塵などにより建屋が不衛生となる虞がある。本発明は、そのような実情に鑑みてなされたものであり、義歯の使用者の待つ現場において、義歯の清掃作業時に生じる粉塵の対策を行った状態で、義歯の清掃作業を行うことを課題とする。
【課題を解決するための手段】
【０００５】
上記課題を解決するために、本明細書は、内部において作業者が清掃具を用いて義歯を清掃することが可能なボックスと、前記ボックス内部からエアを吸引する吸引機と、前記ボックス内部と吸引機とを連結する連結路と、前記連結路、若しくは、前記吸引機からのエアの排出部との少なくとも一方に配設されるフィルタとを備える車両を開示する。
【発明の効果】
【０００６】
本開示によれば、作業者が、車両で、義歯の使用者の待つ現場まで出張し、その車両内のボックスの内部で、義歯の清掃作業を行うことができる。これにより、義歯の使用者の待つ現場において、義歯の清掃作業時に生じる粉塵の対策を行った状態で、義歯の清掃作業を行うことが可能となる。
【図面の簡単な説明】
【０００７】
【図１】車両を側方からの視点において示す図である。
【図２】車両を上方からの視点において示す図である。
【図３】車両を後方からの視点において示す図である。
【図４】連通路を示す概略図である。
【図５】開状態の開閉弁を示す概略図である。
【図６】閉状態の開閉弁を示す概略図である。
【図７】ネームカードが埋設された義歯を示す図である。
【発明を実施するための形態】
【０００８】
毎日、歯を磨いている天然歯ですら、口の中では歯垢が溜まり、歯石も付着します。このため、歯科医院などでは定期的に専門的な歯石の除去などが勧められているが、同じ環境下で使用される義歯にも同じように歯石や、嫌な匂いのもととなる歯垢などが付着します。そして、現状において、付着した歯石，歯垢等が取れなくなっている義歯が多く存在しています。
【０００９】
近年、全国で１０００万人をこえる高齢者が義歯を装着使用している。また、高齢者介護施設の増加に伴って、義歯を装着しながら入居する高齢者も急増しており、これら介護を必要とする高齢者が、日々使用する義歯の洗浄などの衛生管理については、保護者あるいは介護施設のヘルパーさんに任せられている。 
【００１０】
そして、保護者，ヘルパーさんなどは、殆どの場合、１日使用した入れ歯を就寝前にブラシを用いて水洗いした後に、洗浄液などに浸けておく事ぐらいしか出来ません。また、一人暮らしなどの高齢者であれば、それらの作業すら面倒になり、単に水に浸けておくだけという場合もあります。
【００１１】
しかしながら、長年の使用による義歯表面の劣化や変色、汚れの沈着などは洗浄液などでは十分に抑えられません。また、ブラシで擦られ徐々に艶もとれ、荒れて劣化した表面に、堆積沈着し歯石化した汚れは、市販の洗浄液などで取り除くことは困難であります。
【００１２】
このため、歯石化した汚れは、歯ブラシなどでは除去することはできず、歯科用の切削バーなどの専用の清掃具を用いて削り取るしかありません。しかし、日々の汚れが歯石となり義歯表面にこびりついた状態の義歯でも、多くの高齢者は専用の清掃具を用いて歯石などを削り取ることができないため、衛生上好ましくない事は分かっていても、歯石などを除去できないという諦めの中で、毎日、歯石等の付着した義歯を使用しています。
【００１３】
また、新しい入れ歯を半年に一度ぐらいのペースで新調すれば、ここまでの汚れはつかない。しかし、以前は保険適用により高齢者は半年に一度、無償で入れ歯を作り直すことができたが、高齢者に治療費の一部負担が必要になってから、経済的な事情などにより、高齢者の方も作り直しを控えて、ずっと同じものを何年間も使う傾向にある。このため、義歯表面の経年劣化が進み、汚れが付きやすくなっている。
【００１４】
また、入れ歯は、患者への装着後に、メガネなどと同じように雑貨品として扱われるため、入れ歯の清掃作業は、現在の歯科医療の制度で保険適用外とされている。そのため、入れ歯の清掃費用は、患者の自費負担になる事や、通院が可能な患者さんであっても、清掃作業のため入れ歯を数日預かる必要があり、患者さんに不便が発生する事などを考慮すると、歯科医院が、入れ歯の清掃作業を積極的に患者に有償で勧めることは殆ど無い。まして、介護施設などに入居し、通院などが困難な高齢者の人達が、清掃作業の提供を受けることは非常に困難であり、歯石などが付着した入れ歯を我慢して使用しています。
【００１５】
そこで、歯科技工士等の専門家が、義歯を清掃するための清掃具を車両に搭載し、義歯の使用者の待つ現場まで出張し、その現場の建屋、例えば、介護施設等において、義歯の清掃作業を行うことが考えられます。このような場合に、歯石化した汚れは歯ブラシ等では除去することができないため、歯科用の切削バーなどを用いて削り取りますが、切削バー等を用いた作業を、施設内などで行うと、歯科独特のキーンという高音の機械音により、施設の入居者に不快感を与える虞がある。また、清掃作業の仕上げ時に用いられる磨き砂などの粉塵が、施設の入居室内や公共スペースに飛散するために、施設屋内での作業は困難である。
【００１６】
また、粉塵の飛散を防止するべく、集塵機を用いた場合においても、研磨時に使用する研磨剤はペースト状であるため、集塵機の吸引パイプの内壁にペースト状の研磨剤が付着し、集塵機のフィルターまでペースト状の研磨剤が吸引されると、フィルターに目詰まりが生じ、吸引力が著しく低下する。このような場合には、粉塵の飛散を防止することができず、作業周辺が粉塵などにより不衛生な環境となる。
【００１７】
また、入れ歯は介護施設内の洗浄作業などで口腔内から外されている状態において、外されている入れ歯が誰の入れ歯なのかという判別は、本人や専門家であっても、非常に困難である。そのために介護施設の現場では、介護を受ける高齢者の増加に伴い、施設内での介護作業中に起こりうる入れ歯の入れ間違いや、認知症患者の施設内での置き忘れなどのトラブルの増加が懸念されます。また、入れ歯の入れ間違いへの対処方法は、ヘルパーさんの記憶に頼るしかなく、ヘルパーさんの精神的負担も少なくはありません。さらに言えば、上顎義歯の後縁部付近の表面などに汚れが付着してざらついたりすることが、高齢者の誤嚥性肺炎の原因となる虞があります。
【００１８】
このようなことに鑑みて、上記課題を解決するべく、本発明を実施するための形態として、本発明の実施例を、以下に、図を参照しつつ詳しく説明する。
【００１９】
図１ないし図３に、義歯清掃洗浄車１０を示す。なお、図１ないし図３の義歯清掃洗浄車１０は、本発明の車両の一形態であり、図１は、義歯清掃洗浄車１０の側面図、図２は、義歯清掃洗浄車１０の平面図、図３は、義歯清掃洗浄車１０の立面図である。また、各図では、図面を判り易くするために、義歯清掃洗浄車１０の構成要素が簡素化して大きく描かれている。
【００２０】
義歯清掃洗浄車１０は、ルーフパネル２０と、リアパネル２２と、１対のサイドパネル２４とにより区画された車室空間Ｓを備えている。車室空間Ｓは、防水床面２６の上方を覆っており、防水床面２６には、車室空間Ｓと車外とを連通する排水パイプ２８が配設されている。これにより、防水床面２６を水洗い洗浄し、洗浄水を、排水パイプ２８を介して、車外に排水することが可能とされている。
【００２１】
また、ルーフパネル２０の上面には、給水タンク３０が配設されており、車室空間Ｓに、シンク３２と、そのシンク３２に連結された排水タンク３４とが配設されている。そして、給水タンク３０からシンク３２に、水が供給され、シンク３２において、義歯などを洗浄することが可能とされている。また、シンク３２において使用された排水が、排水タンク３４に貯留される。
【００２２】
また、車室空間Ｓには、１対のサイドパネル２４の一方の側に、棚状の固定式作業台３６が取り付けられており、固定式作業台３６の上に、第１作業ボックス５０と、第２作業ボックス５２と、義歯細部清掃用作業具５４と、歯科用レーズ５６と、超音波洗浄機５８とが配設されている。
【００２３】
第１作業ボックス５０は、概して直方体の箱形状をなし、全面が透過性を有するプラスチック等の素材により形成されている。このため、第１作業ボックス５０の内部は、外部から視認することができる。また、第１作業ボックス５０の前面６０は、ヒンジ６２を介して、第１作業ボックス５０の上面に連結されており、開閉可能とされている。これにより、前面６０が閉じられることで、第１作業ボックス５０の内部が密閉され、前面６０が開けられることで、第１作業ボックス５０の内部が開放される。なお、前面６０は、ヒンジ６２に着脱可能とされており、前面６０を、ヒンジ６２から取り外すことで、前面６０を洗浄することが可能とされている。また、前面６０には、１対の貫通穴６４が形成されている。それら１対の貫通穴６４の各々は、作業者の腕を挿通可能な大きさとされている。
【００２４】
なお、第２作業ボックス５２も、第１作業ボックス５０と略同じ構造とされているため、詳しい説明を省略する。ただし、第１作業ボックス５０では、前面６０に１対の貫通穴６４が形成されているが、第２作業ボックス５２では、１対の側面に、１対の貫通穴６６が形成されている。その貫通穴６６も、貫通穴６４と同様に、作業者の腕を挿通可能な大きさとされている。
【００２５】
義歯細部清掃用作業具５４は、所謂、歯科用エンジンであり、歯科用ハンドピース６８とコントローラ７０とにより構成されている。歯科用ハンドピース６８は、義歯に付着した歯石などを削るものであり、コントローラ７０は、歯科用ハンドピース６８の作動を制御するものである。また、歯科用レーズ５６は、磨き砂などにより、義歯を磨く装置であり、第１作業ボックス５０の内部に配設されている。また、超音波洗浄機５８は、超音波を利用して、義歯に付着した汚れなどを除去する装置である。
【００２６】
また、固定式作業台３６の下方には、エアーコンプレッサー７２が配設されており、作業時に発生した埃などの清掃に用いられる。一方、固定式作業台３６の上方には、サイドパネル２４の上部に、照明機器７４が配設されており、固定式作業台３６の上面側を照らしている。
【００２７】
また、固定式作業台３６が取り付けられているサイドパネル２４には、集塵用電動ファン７６と、連結路７８とが配設されている。詳しくは、サイドパネル２４に車室空間Ｓと外部とを連通する穴が形成されており、その穴に集塵用電動ファン７６が配設されている。また、連結路７８は、一端部において、二股に分岐しており、それら二股に分岐した一端部が、第１作業ボックス５０及び、第２作業ボックス５２に連結されている。そして、連結路７８は、他端部において、集塵用電動ファン７６に連結されている。これにより、集塵用電動ファン７６が作動することで、第１作業ボックス５０及び、第２作業ボックス５２の内部から、エアが吸引され、連結路７８と集塵用電動ファン７６とを介して、車室空間Ｓの外部、つまり、義歯清掃洗浄車１０の外部に排気される。
【００２８】
なお、図４に示すように、第１作業ボックス５０及び、第２作業ボックス５２からのエアの吸い込み口の内径、つまり、連結路７８の第１作業ボックス５０及び、第２作業ボックス５２の側の端部の内径をＬ１とし、吸い込まれたエアの排出口の内径、つまり、集塵用電動ファン７６のファン径をＬ２とした場合に、Ｌ１：Ｌ２＝１：５とされている。このように、Ｌ１とＬ２との径の大きさを設定することで、好適な吸引力を発揮するとともに、第１作業ボックス５０及び第２作業ボックス５２からエアが吸引される際に生じる吸引音を小さくすることが可能となる。
【００２９】
また、集塵用電動ファン７６のエアの排出部には、集塵袋８０が装着されている。この集塵袋８０は、フィルターとして機能し、集塵用電動ファン７６により排出される粉塵の飛散が防止される。なお、集塵袋８０は、集塵用電動ファン７６に着脱可能とされている。
【００３０】
また、連結路７８の第１作業ボックス５０への連結部に、開閉弁８２が配設されている。開閉弁８２は、図５に示すように、揺動板８６と揺動軸８８とにより構成されている。揺動板８６は、概して矩形をなし、揺動軸８８により搖動可能に、連結路７８の内部において保持されている。揺動板８６は、第１作業ボックス５０から連結路７８の内部に向かうほど下降するように、傾斜した状態で、揺動軸８８により保持されており、揺動板８６の揺動軸８８による保持部は、揺動板８６の中央からズレている。この保持部のズレにより、揺動板８６の揺動軸８８から斜め下方側の端部までの長さ寸法、つまり、揺動軸８８から連結路７８の内部に向かう側の端部までの長さ寸法Ｘ１は、揺動板８６の揺動軸８８から斜め上方側の端部までの長さ寸法、つまり、揺動軸８８から第１作業ボックス５０の内部に向かう側の端部までの長さ寸法Ｘ２より長くされている。
【００３１】
このため、揺動板８６の斜め下方側の端部が、揺動板８６の自重により、図６に示すように、連結路７８の底面に接触しており、開閉弁８２は、通常、閉状態とされている。ただし、開閉弁８２は、閉状態とされても、連結路７８の内部の全域を塞ぐことなく、揺動板８６の斜め上方側の端部と連結路７８の内壁との間にクリアランスがある。また、集塵用電動ファン７６が作動すると、第１作業ボックス５０の内部からエアが吸引され、その吸引されたエアにより、図５に示すように、揺動板８６の斜め下方側の端部が上方に向かって揺動し、開閉弁８２は、開状態とされる。
【００３２】
なお、義歯清掃洗浄車１０は、バンタイプの車両内の後部スペースを改造した車両である。つまり、義歯清掃洗浄車１０は、自走可能な車両である。一方で、例えば、コンテナ等の内部に、上記構造の車室空間Ｓを形成し、そのコンテナが、自走可能な車両により、牽引されてもよい。つまり、車室空間Ｓが形成された自走不能な車両を、義歯清掃洗浄車１０の代わりに採用することが可能である。また、車室空間Ｓの内部の床および壁面に、抗菌処理が施されている。
【００３３】
上記構造の義歯清掃洗浄車１０を用いた義歯の清掃作業について、以下に説明する。
【００３４】
まず、作業者は、依頼者より預かった義歯をシンク３２において水洗し、エアーコンプレッサー７２を用いて、水洗した義歯の表面を乾燥させる。そして、作業者は、濡れている状態では目立たず見落としてしまいがちな歯石や汚れの場所を確認する。また、作業者は、義歯の表面の状況に応じて、歯科用切削バー、サンドペーパーコーンなどから任意のものを選択し、選択したものを、歯科用ハンドピース６８に装着する。そして、作業者は、歯科用ハンドピース６８と義歯とを把持し、腕を第２作業ボックス５２の貫通穴６４に挿入し、第２作業ボックス５２の内部において、義歯に付着している歯石を除去し、表面を整える。
【００３５】
この際、集塵用電動ファン７６は作動している。このため、歯石が除去される際に生じる粉塵などは、集塵用電動ファン７６によるエアの吸引に伴って、集塵袋８０の内部に集塵される。これにより、歯石除去時に生じる粉塵の車室空間Ｓへの飛散は防止され、清潔な状態で歯石の除去作業を行うことができる。また、歯科用ハンドピース６８の作動に伴って発生する歯科用機器独特の回転音などは、第２作業ボックス５２により遮音されるため、義歯清掃洗浄車１０の近くに人がいる場合であっても、その人に不快感を与える心配はなくなる。また、第２作業ボックス５２の内部では、粉塵が飛散するため、第２作業ボックス５２の前面６０に粉塵が付着し、内部が視認し難くなる場合がある。このような場合に、前面６０が第２作業ボックス５２から取り外され、洗浄されることで、第２作業ボックス５２の内部の視認性を担保することが可能となる。
【００３６】
また、歯石の除去作業の前後において、図７に示すように、義歯１００の表面に、約３ｍｍ×４ｍｍの個人識別用ネームカード１０２が埋入される。これにより、口腔内から外された状態の義歯１００が誰のものであるかを、ヘルパーさん等が判別することが可能となる。
【００３７】
次に、歯石の除去作業が完了すると、作業者は、義歯を把持し、第１作業ボックス５０の貫通穴６４に腕を挿入し、第１作業ボックス５０の内部において、歯科用レーズ５６を用いて義歯の清掃作業を行う。この際、歯科用レーズ５６を用いた清掃作業では、ペースト状の磨き砂を義歯の表面に付着させ、ペースト状の磨き砂とともに、義歯が歯科用レーズ５６により磨かれる。これにより、歯頸部（歯と歯茎部分の境目）などの細部の清掃と義歯全体の表面に染みついた汚れの除去が行われる。
【００３８】
この際、集塵用電動ファン７６は作動している。このため、清掃に用いられた磨き砂が飛散しても、集塵用電動ファン７６によるエアの吸引に伴って、集塵袋８０の内部に集塵される。これにより、歯科用レーズ５６を用いた作業においても、粉塵の飛散は防止され、清潔な状態で歯石の除去作業を行うことができる。なお、後に詳しく説明するが、水分を多く含むペースト状の磨き砂は、集塵袋８０に集塵されず、水分をあまり含まない乾いた磨き砂１０６が、集塵袋８０に集塵される。また、歯科用レーズ５６の作動音が、第１作業ボックス５０により遮音されるため、騒音による不快感を抑制できる。また、第１作業ボックス５０の内部では、磨き砂１０６が飛散するため、第１作業ボックス５０の前面６０に磨き砂１０６が付着し、内部が視認し難くなる場合がある。このような場合に、前面６０が第１作業ボックス５０から取り外され、洗浄されることで、第１作業ボックス５０の内部の視認性を担保することが可能となる。
【００３９】
さらに、第１作業ボックス５０と連結路７８との連結部に、開閉弁８２が配設されているため、ペースト状の磨き砂による集塵袋８０の目詰まり等が防止される。詳しくは、図５に示すように、歯科用レーズ５６では、義歯を磨くための回転板１０４が反時計回りに回転する。この際、ペースト状の磨き砂を用いて、義歯が歯科用レーズ５６により磨かれると、図６に示すように、ペースト状の磨き砂１０６が、回転板１０４の下方から、揺動板８６に向かって飛び散る。そして、飛び散ったペースト状の磨き砂１０６は、揺動板８６の揺動軸８８より下方の部分に付着する。特に、水分を多く含んだペースト状の磨き砂１０６の多くは、揺動板８６の下部に付着する。この際、集塵用電動ファン７６によるエアの吸引に伴って、開状態に揺動していた揺動板８６が、揺動板８６に付着した磨き砂１０６と、揺動板８６の自重とによって、閉状態となる。つまり、揺動板８６の斜め下方側の端部が、連結路７８の底面に接触する。これにより、ペースト状の磨き砂１０６は、集塵袋８０の内部に集塵され難くなり、集塵袋８０の目詰まりが防止される。
【００４０】
また、開閉弁８２が閉状態とされたことを契機として、作業者は、揺動板８６に付着した磨き砂１０６を回収する。これにより、回収した磨き砂１０６を再利用することが可能となり、資源の無駄を省くことが可能となる。なお、開閉弁８２は、上述したように、閉状態においても、連結路７８の全域を塞がず、揺動板８６の上端部と連結路７８との間にクリアランスがある。このため、開閉弁８２が閉状態となっても、第１作業ボックス５０の内部からエアは継続して吸引されるため、第１作業ボックス５０の内部において作業を継続して行うことができる。そして、第１作業ボックス５０における作業が完了した後に、揺動板８６に付着した磨き砂１０６を回収すればよい。これにより、第１作業ボックス５０における作業の中断を抑制することが可能となる。
【００４１】
そして、磨き砂１０６を用いた清掃作業が完了すると、作業者は、義歯をシンク３２において水洗し、エアーコンプレッサー７２を用いて、水洗した義歯の表面を乾燥させる。そして、作業者は、濡れている状態では目立たず見落としてしまいがちな歯石や汚れが取れているかを、照明機器７４による十分な明るさのもとで確認する。この際、作業者は、汚れが落ちていることを確認したら、歯科用レーズ５６の回転板１０４のブラシを布製のバフに付け替える。そして、作業者は、歯科用レーズ５６を用いて、第１作業ボックス５０の内部において、義歯全体の艶出し作業を実行し、義歯の表面清掃と滑沢な面の復元作業を行う。
【００４２】
続いて、十分な艶の復元が確認されると、義歯は殺菌洗浄液を満たした超音波洗浄機５８内において、超音波洗浄される。これにより、義歯の洗浄除菌の精度が高められる。そして、作業者は、超音波洗浄後、再び、義歯をシンク３２にて水洗し、エアーコンプレッサー７２を用いて、水洗した義歯の表面を乾燥させる。そして、作業者は、十分な清掃と、艶の復元とが適切に行われているかを、照明機器７４による十分な明るさのもとで確認する。これにより、義歯の清掃作業が完了する。
【００４３】
なお、上述したように、車室空間Ｓに粉塵などは、殆ど飛散しないが、僅かに粉塵などが飛散する場合がある。このような場合において、防水床面２６を流水などで洗浄することで、車室空間Ｓを清潔に保つことができる。そして、防水床面２６には、既存の水抜きドレン用の穴に繋がれた排水パイプ２８が配設されているため、排水パイプ２８にホース等を連結することで、防水床面２６の洗浄後に、その洗浄に用いられた排水を、施設敷地内にまき散らすことなく、適切な排水溝に排水することができる。
【００４４】
このように、義歯清掃洗浄車１０によれば、義歯の清掃作業の全てを車両の内部にて完結することが可能となっており、介護施設などにおいて通常の処理では取り除くことが困難な義歯の汚れを取り除き、義歯本来の滑沢な艶のある表面の復元までを車内で完結できる。これにより、従来、義歯の清掃作業時の騒音，粉塵等の様々な問題があり、使用者本人だけでなく、保護者や介護するヘルパーさんなども、義歯の汚れやにおいに我慢しつつも、その汚れは取れないものとあきらめて、使用せざるをえないという問題があったが、このような問題を、義歯清掃洗浄車１０を用いることで、すべて解決することができ、使用者等の負担や満たされない気持ちを一挙に解消する事が可能となる。
【００４５】
さらに言えば、義歯清掃洗浄車１０は、任意の場所に移動し、設置することが可能であるため、介護施設や個人宅だけでなく、例えば、スーパーマーケットなどの大型商業施設内にも容易に設営可能である。このため、あらゆる年齢層の人々に作業の実演公開も可能となる。これにより、多くの人が義歯本来の衛生上好ましい状態への理解を深め、メンテナンスの機会を増やすことで、義歯の劣化を防ぎ、口腔内の衛生に対しての意識の向上を図り、国の医療費の負担の軽減にも寄与することが可能となる。
【００４６】
ちなみに、上記実施例において、義歯清掃洗浄車１０は、車両の一例である。第１作業ボックス５０は、ボックスの一例である。第２作業ボックス５２は、ボックスの一例である。義歯細部清掃用作業具５４は、清掃具の一例である。歯科用レーズ５６は、清掃具の一例である。前面６０は、透過部の一例である。貫通穴６４は、挿通穴の一例である。貫通穴６６は、挿通穴の一例である。集塵用電動ファン７６は、吸引機の一例である。連結路７８は、連結路の一例である。集塵袋８０は、フィルタの一例である。開閉弁８２は、開閉弁の一例である。
【００４７】
なお、本発明は、上記実施例に限定されるものではなく、当業者の知識に基づいて種々の変更、改良を施した種々の態様で実施することができる。具体的には、例えば、上記実施例では、第１作業ボックス５０及び第２作業ボックス５２の前面が、内部を視認可能な素材により形成されているが、少なくとも一面、例えば、前面，上面等が、内部を視認可能な素材により形成されてもよい。
【００４８】
また、上記実施例では、集塵袋８０が、集塵用電動ファン７６から排気されるエアの排出部に配設されているが、連結路７８に、集塵袋８０と同等に機能するフィルタを配設してもよい。
【符号の説明】
【００４９】
１０：義歯清掃洗浄車（車両）    ５０：第１作業ボックス（ボックス）    ５２：第２作業ボックス（ボックス）    ５４：義歯細部清掃用作業具（清掃具）    ５６：歯科用レーズ（清掃具）    ６０：前面（透過部）    ６４：貫通穴（挿通穴）    ６６：貫通穴（挿通穴）    ７６：集塵用電動ファン（吸引機）    ７８：連結路    ８０：集塵袋（フィルタ）    ８２：開閉弁    
【図１】
2019138460.tif 000003
【図２】
2019138460.tif 000004
【図３】
2019138460.tif 000005
【図４】
2019138460.tif 000006
【図５】
2019138460.tif 000007
【図６】
2019138460.tif 000008
【図７】
2019138460.tif 000009
【国際調査報告】
2019138460.tif 000010
2019138460.tif 000011
2019138460.tif 000012
2019138460.tif 000013